(57)【要約】【課題】経年劣化や地震等の災害による抗力など、何等かの理由により、ラッチと回動するドアノブとの連動機構やラッチを押圧するばねなどのロック機構を構成する部品や機構が動作不能となった場合でも閉じ込められることのない開き扉の回転式ラッチ機構を提供する。【解決手段】建具枠に蝶番を介して取り付けられて開閉自在な扉の開閉をロックする開き扉の回転式ラッチ機構１において、扉に取り付けられる錠箱１０と、この錠箱１０に上下方向を軸３１として回転自在に取り付けられたギア３と、このギア３の回転を阻止又はその解除自在なギアロック手段４と、を備え、ギア３を、軸３１が弾性体５の弾性力で押圧して前記扉の端面から前記建具枠に向けてその一部が突出又は後退可能に弾性支持するとともに、前記建具枠には、ギア３と対応する位置に、ギアロック手段４でロックされた状態でギア３の歯を係止して前記扉の開閉をロックする係止手段２を取り付ける。【選択図】図１
2018178563.tif 000002
【特許請求の範囲】
【請求項１】
建具枠に蝶番を介して取り付けられて開閉自在な扉の開閉をロックする開き扉のラッチ機構であって、
前記扉に取り付けられる錠箱と、この錠箱に上下方向を軸として回転自在に取り付けられたギアと、このギアの回転の阻止又はその解除が自在なギアロック手段とを備え、
前記ギアは、前記軸が弾性体の弾性力で押圧されて前記扉の端面から前記建具枠に向けてその一部が突出した状態で弾性支持されているとともに、
前記建具枠には、前記ギアと対応する位置に、前記ギアロック手段でロックされた状態で前記ギアの歯を係止して前記扉の開閉をロックする係止手段が取り付けられていること
を特徴とする開き扉の回転式ラッチ機構。
【請求項２】
前記ギアロック手段は、前記錠箱に前記扉の内側から外側に向かった際の前後方向を軸として軸支され、前記扉の内側に突設されている摘みにより回転自在なプレート片を前記ギアの歯の間に挿置するか否かで前記ギアの回転を阻止するものであること
を特徴とする請求項１に記載の開き扉の回転式ラッチ機構。
【請求項３】
前記ギアロック手段は、前記扉の外側から解除可能に構成されていること
を特徴とする請求項１又は２に記載の開き扉の回転式ラッチ機構。
【請求項４】
前記弾性体は、前記錠箱に一端が固着されたコイルスプリングであること
を特徴とする請求項１ないし３のいずれかに記載の開き扉の回転式ラッチ機構。
【請求項５】
前記係止手段は、プレート面が上下方向に沿って取り付けられた矩形状の係止片であること
を特徴とする請求項１ないし４のいずれかに記載の開き扉の回転式ラッチ機構。
【発明の詳細な説明】
【技術分野】
【０００１】
本発明は、建具枠に蝶番を介して取り付けられた開き戸の開閉をロックする開き扉のラッチ機構に関し、詳しくは、扉に取り付けられる錠箱と、この錠箱に上下方向を軸として回転自在に取り付けられたギアと、このギアの回転の阻止又はその解除が自在なギアロック手段とを備える開き扉の回転式ラッチ機構に関するものである。
【背景技術】
【０００２】
従来、この種の開き扉のラッチ機構では、建具の扉に設けられ、レバーハンドルや円筒状ドアノブ（握り玉）などの回動するドアノブと連動して突没自在に設けられたラッチと、建具枠に設けられ、前記ラッチを内嵌する受け具とを備え、開き戸の開閉をロックするラッチ錠が一般的である。
【０００３】
例えば、特許文献１には、内部空間３１を有して扉面に固定され操作部材の基軸３９を回転自在に支持するエスカチオン２７と、内部空間３１に扉面と平行な揺動軸８３で揺動自在に支持され一体に固定されたボタン部９９がエスカチオン２７のボタン開口穴９７から外方へ突出され、且つ、ボタン部９９と同方向に内部空間３１の内方で突出する係合部７５が設けられた規制体２９と、内部空間３１を貫通する基軸３９に表裏面が直交する方向で固定され、且つ、係合部７５と係合して基軸３９の回転を規制する被係合部６９が形成されるロック板５５と、を設けた緊急時の扉の開放を容易に行うことが可能な錠装置１１が開示されている（特許文献１の請求項１、明細書の段落［００２０］〜［００３５］、図面の図１、図７等参照）。
【０００４】
しかし、特許文献１に記載の錠装置では、ボタン部９９を押すことで、緊急時の扉１７の開放を容易にできるものの、経年劣化等で錠装置の一部が破損して動作しなくなった場合は、扉の開放ができず、閉じ込められてしまうという問題があった。
【０００５】
また、特許文献２には、錠箱３に、反転型ラッチ１１と、ラッチバネ１２と、水平作動杆１３とをそれぞれ配設し、またラッチ用ロック片１４を錠箱内に軸支し、このラッチ用ロック片と水平作動杆との間には中心部から半径外方向に、ラッチ用ロック片の後端部と摺接する係合部分と水平作動杆の押動部分に当接する当接部とバネ端連結部をそれぞれ有し、かつ操作部材の操作力によって回動するダルマ１５を配設し、さらに、バネ端連結部に一端部が連結されているとともに、他端部は錠箱内のバネ端支持部材１６に連結され、かつダルマとともに施錠位置から解錠位置へと変位する付勢バネ１７を設けたラッチ錠のロック装置が開示されている（特許文献２の請求項１、明細書の段落［００１０］〜［００２２］、図面の図１〜図３等参照）。
【０００６】
特許文献２に記載のラッチ錠のロック装置は、扉の内側からサムターンであるダルマ１５を回転させてロック機構を解錠することができ、「閉じ込め」を防止することができるとされている。しかし、特許文献２に記載のラッチ錠のロック装置は、ダルマ１５とラッチ用ロック片１４の機構やラッチバネ１２のうちいずれかが経年劣化等で破損して作動しなくなった場合などには、扉の開放ができず、閉じ込められてしまうという問題は解消できていない。
【０００７】
さらに、特許文献３には、中心に形成した角形の取付孔５１に両端に室内側及び室外側のレバーハンドル６を固着したハンドル角芯６１を嵌挿するとともにラッチボルト３の後部に形成した係止プレート３２の前方側に係止する係合部５３を外周の一部に突出したレバーカム５が錠箱１内に回転可能に配置されており、且つ中心に形成した角形の取付孔に室内側の解除摘９を固着した角芯８２を嵌挿するとともにラッチボルト３の後部に形成した係止プレート３２の前方側に前記レバーカム５の係合部５３に干渉することなしに係合する係合部８３を外周に突出した解除摘レバー８を錠箱１内に回転可能に配置したラッチ錠が開示されている（特許文献３の請求項１、明細書の段落［００１９］〜［００２６］、図面の図１〜図６等参照）。
【０００８】
特許文献３に記載のラッチ錠によれば、地震など何らかの理由によりレバーハンドル６が破損したり、使用が不可能となった際に、レバーハンドル６の代わりに室内側に配置されている解除摘９を回転操作する。この操作により、解除摘レバー８を回転させて、この解除摘レバー８に設けられた係合部８３により係止プレート３２を介してラッチボルト３をばね４の付勢力に抗して後退させ、先端のラッチヘッド３１を前板１１から錠箱１内に没入させる。これにより、扉枠に配置した受け具から抜脱することにより解錠し、そのままの状態で扉を開放させることにより、閉じ込み状態から脱出することができるとされている。
【０００９】
しかし、特許文献３に記載のラッチ錠は、地震や部品の破損などの稀な事象のために、通常のサムターンの他に、解除摘レバー８や解除摘９などの解除機構を設けなければならず、機構が複雑で製造コストが嵩んでしまうという問題がある。
【００１０】
同様に、特許文献４には、扉に設置した際にラッチ錠の錠箱の前面又は後面と各座板との間に形成される隙間に、リング状で外周に形成した突出部材がラッチボルトに形成された係止片に前記錠箱の前面又は後面に形成した透溝を通して係止する係止突起を突設した施解錠部材が前記レバーカムと同心で且つ中央孔に角芯を通して配置されているとともに、前記座板に座板の外側から前記施解錠部材を操作するための操作部材を配置し、前記操作部材を操作して回動部材を回動し前記ラッチボルトを後退させて施解錠を可能としたラッチ錠が開示されている（特許文献４の請求項１、明細書の段落［００２０］〜［００２８］、図面の図１〜図８等参照）。
【００１１】
特許文献４に記載のラッチ錠によれば、レバーハンドル６による施解錠状態に拘わらず解錠することができ、レバーハンドル６よる施解錠機構に支障を来した場合にも操作部材９を回動操作することにより施錠を解除して扉２を開閉することが可能となるとされている。
【００１２】
しかし、特許文献４に記載のラッチ錠の前記作用効果は、レバーハンドル６は作動しないが操作部材９の回動操作は可能という極めて限定的な場合であり、経年劣化により錆び付いて操作部材９の回動操作が不能になった場合にも閉じ込められることを防止できるものではなかった。
【００１３】
本発明は、ドアラッチの内部スプリングとラッチ連動機構のいずれかが経年劣化により損傷し、トイレの扉が開かず、中に閉じ込められてしまったという発明者自身の体験により創出されたものである。この閉じ込め事故は、時期が夏季で、トイレ内に窓があった、外との連絡が比較的に早く取れた等の幸運が重なり、大事には至らなかったものの、それでも救出されるまでに２時間近くを要するものであった。このことを勘案すると、高齢者や持病を持っている人にとってはこのような閉じ込め事故は深刻な事態に陥るおそれがあると推測される。実際に、このような閉じ込め事故は、近年、多発しているようであり、死亡事故まで発生している。よって、高齢者が多くなった昨今では、深刻な閉じ込め事故が発生しない対策が切望されている。しかし、現在まで経年劣化や地震等の災害による抗力など、何らかの理由により、ドアラッチの内部スプリングやラッチ連動機構が折れて破損してしまった場合でも閉じ込められることを防止できる開き扉のラッチ機構は提案されていなかった。
【先行技術文献】
【特許文献】
【００１４】
【特許文献１】特開２０１２−１７２４２１号公報
【特許文献２】特開２００９−１３８４１２号公報
【特許文献３】特開２０１３−２３８９６号公報
【特許文献４】特開２０１４−１２５８６６号公報
【発明の概要】
【発明が解決しようとする課題】
【００１５】
そこで、本発明は、前述した問題に鑑みて案出されたものであり、その目的とするところは、経年劣化や地震等の災害による抗力など、何らかの理由により、ラッチと回動するドアノブとの連動機構やラッチを押圧するばねなどのロック機構を構成する部品や機構が動作不能となった場合でも閉じ込められることのない開き扉のラッチ機構を提供することにある。
【課題を解決するための手段】
【００１６】
第１発明に係る開き扉の回転式ラッチ機構は、建具枠に蝶番を介して取り付けられて開閉自在な扉の開閉をロックする開き扉のラッチ機構であって、前記扉に取り付けられる錠箱と、この錠箱に上下方向を軸として回転自在に取り付けられたギアと、このギアの回転の阻止又はその解除が自在なギアロック手段とを備え、前記ギアは、前記軸が弾性体の弾性力で押圧されて前記扉の端面から前記建具枠に向けてその一部が突出した状態で弾性支持されているとともに、前記建具枠には、前記ギアと対応する位置に、前記ギアロック手段でロックされた状態で前記ギアの歯を係止して前記扉の開閉をロックする係止手段が取り付けられていることを特徴とする。
【００１７】
第２発明に係る開き扉の回転式ラッチ機構は、第１発明において、前記ギアロック手段は、前記錠箱に前記扉の内側から外側に向かった際の前後方向を軸として軸支され、前記扉の内側に突設されている摘みにより回転自在なプレート片を前記ギアの歯の間に挿置するか否かで前記ギアの回転を阻止するものであることを特徴とする。
【００１８】
第３発明に係る開き扉の回転式ラッチ機構は、第１発明又は第２発明において、前記ギアロック手段は、前記扉の外側から解除可能に構成されていることを特徴とする。
【００１９】
第４発明に係る開き扉の回転式ラッチ機構は、第１発明ないし第３発明のいずれかの発明において、前記弾性体は、前記錠箱に一端が固着されたコイルスプリングであることを特徴とする。
【００２０】
第５発明に係る開き扉の回転式ラッチ機構は、第１発明ないし第４発明のいずれかの発明において、前記係止手段は、プレート面が上下方向に沿って取り付けられた矩形状の係止片であることを特徴とする。
【発明の効果】
【００２１】
第１発明〜第５発明によれば、従来の開き扉のラッチ錠のように回動するドアノブとラッチの突没が連動する機能ではないので、従来の機構の様にラッチ連動式ドアノブの回動が不能となり扉内に閉じ込められることがない。また、第１発明〜第５発明によれば、ギアを弾性支持する弾性体が経年劣化や、地震等の災害による抗力など、何らかの理由により破断した場合、ギアの突出部分がカギ箱内に引っ込むこととなりロックは解除される。したがって、従来の「ラッチ錠」の様に、ラッチがラッチ受け内に取り残されて扉のロックが解除できなくなる恐れはなく、扉を開くことが出来る。
【００２２】
特に、第２発明によれば、扉の内側に突設されている摘みにより回転自在なプレート片を前記ギアの歯の間に挿置するか否かで前記ギアの回転を阻止するものであるので、ギアロック手段の機構が簡略であり、経年劣化等でも動作不能に陥るおそれが極めて少ない。また、矩形状のプレート片自体が破損・破断した場合も、ギアロックを出来なくなるので、ロックは解除される。
【００２３】
特に、第３発明によれば、ギアロック手段が扉の外側から解除可能に構成されているので、万が一、ギアロック手段が内側から動作不能となった場合でも、外部からの救出が極めて容易である。
【００２４】
特に、第４発明によれば、弾性体は、錠箱に一端が固着されたコイルスプリングであるので、特殊な加工技術機械等を必要とせず、且つ、部品数が少なく、簡単な構造であるので、製造コストを低減することができる。また、一般的で耐久性等の実績のある部品であるので、素材選定の幅が広く、耐用期間、交換時期等の目安も立てやすい。
【００２５】
特に、第５発明によれば、係止手段は、プレート面が上下方向に沿って取り付けられた矩形状の係止片であるので、従来のラッチ受けのように建具枠に大きな掘り込み加工が必要なく、開き扉の建具の設置費用を低減することができる。また、加工が困難な場所への設置も比較的容易となる。
【図面の簡単な説明】
【００２６】
【図１】本発明の実施形態に係る開き扉の回転式ラッチ機構を示す斜視図である。
【図２】同上の開き扉の回転式ラッチ機構を片開き扉の建具に適用した場合を示す斜視図である。
【図３】同上の開き扉の回転式ラッチ機構を扉の内側から水平方向に見た正面図である。
【図４】（ａ）は同上の開き扉の回転式ラッチ機構を示す平面図であり、（ｂ）は開き扉の回転式ラッチ機構のギアの弾性体による押圧状況を模式的に示す図である。
【図５】同上の開き扉の回転式ラッチ機構の係止手段のみを示す斜視図である。
【図６】同上の開き扉の回転式ラッチ機構のギアのみを示す斜視図である。
【図７】同上の開き扉の回転式ラッチ機構のギアロック手段のみを扉の外側から見た状態を示す背面斜視図である。
【発明を実施するための形態】
【００２７】
以下、本発明に係る開き扉の回転式ラッチ機構を実施するための一実施形態について、図面を参照しながら詳細に説明する。
【００２８】
先ず、図１、図２を用いて、本発明の実施形態に係る開き扉の回転式ラッチ機構について説明する。図１は、本発明の実施形態に係る開き扉の回転式ラッチ機構を示す斜視図であり、図２は、本実施形態に係る開き扉の回転式ラッチ機構を片開きの開き扉の建具に適用した場合を示す斜視図である。また、図３は、本発実施形態に係る開き扉の回転式ラッチ機構を扉の内側から水平方向に見た正面図であり、図４は、本発実施形態に係る開き扉の回転式ラッチ機構を示す平面図である。なお、図中のＸ方向は、扉の内側から外側に向かった際の前後方向を指し、Ｙ方向は、このＸ方向と直交且つ水平である扉の幅方向となる横方向を指す。また、図中のＺ方向は、Ｘ方向及びＹ方向と直交する上下方向（縦方向）を指している（以下同じ）。
【００２９】
ここで、開き扉とは、図２に示すように、建具のうち、扉Ｄ１が複数の蝶番Ｔを介して建具枠Ｆ１に取り付けられ、建具枠Ｆ１に対してこの蝶番（丁番）Ｔを中心に前後に揺動して開閉する建具（いわゆるドア）を指している。この建具枠Ｆ１は、左右一対の縦枠Ｆ１０，Ｆ１１と、上枠Ｆ１２と、下枠Ｆ１３と、から構成された側面視矩形状の枠体である。勿論、バリアフリーのため下枠Ｆ１３が無い建具枠に本発明を適用できることは云うまでもない。なお、扉Ｄ１には、回転しないドアノブＤｎがねじ止めされて固着されている。
【００３０】
図１〜図４に示すように、本発明の実施形態に係る開き扉の回転式ラッチ機構１は、主に、ロック機構を収容する筐体である矩形箱状の錠箱１０と、後述のギア３を係止する係止手段２など、から構成されている。錠箱１０は、金属製の箱状のフレームからなり、一般的には扉Ｄ１の吊元反対側の高さ方向の中央付近に取り付けられている。また、係止手段２は、錠箱１０に対応する高さの縦枠Ｆ１０に取り付けられている。
【００３１】
また、この錠箱１０には、上下方向（Ｚ方向）を軸として回転自在に取り付けられた歯車であるギア３と、このギア３の回転の阻止又はその解除が自在なギアロック手段４と、ギア３を押圧する弾性体５など、が設けられている。
【００３２】
（係止手段）
次に、図１〜図４、及び図５を用いて、開き扉の回転式ラッチ機構１の係止手段２について説明する。図５は、開き扉の回転式ラッチ機構１の係止手段２のみを示す斜視図であり、建具枠Ｆ１の縦枠Ｆ１０を枠の内側から見た状態を示している。
【００３３】
本実施形態に係る係止手段２は、図１〜図５に示すように、上下方向（Ｚ方向）に長い矩形状（長方形状）のプレート本体２０の中央に、プレート面が上下方向（Ｚ方向）に沿った矩形状（長方形状）の係止片２１が突設された金属製の係止片プレートである。このプレート本体２０は、従来のラッチ錠のラッチ受け金具と同程度の大きさのプレートとすることが好ましい。従来のラッチ錠の改修や取替において、ラッチ受け金具を係止片プレートに置き換えることで、建具枠Ｆ１の縦枠Ｆ１０に彫り込まれたラッチ受けの欠き込み穴を塞ぐ必要がなくなるからである。
【００３４】
また、係止片２１は、そのプレート面がプレート本体２０のプレート面に対して直交するように突設されているとともに、係止片２１の厚みは、ギア３の歯と歯の間隔より僅かに薄くなっている。そして、係止片２１の突出高さもギア３の歯の突出高さより僅かに低く設定されている。このため、係止手段２は、ギア３の回転がギアロック手段４でロックされている状態で、ギア３を係止することが可能となり、扉Ｄ１の開閉を係止可能となっている。このとき、扉Ｄ１が係止されている状態で、ギア３がどの程度（例えば２〜３ｍｍ）鍵箱内側に移動して係止するかを考慮して、プレート片４２の位置を決めることが肝要である。
【００３５】
なお、前述の錠箱１０に対応する高さとは、係止片２１が床面からのギア３の設置高さと同程度になるように設置されていることを指している。
【００３６】
（ギア）
次に、図１〜図４、及び図６を用いて、開き扉の回転式ラッチ機構１のギア３について説明する。図６は、開き扉の回転式ラッチ機構のギアのみを示す斜視図であり、扉Ｄ１の内側から前後方向（Ｘ方向）外側へ見た状態を示している。
【００３７】
本実施形態に係るギア３は、図１〜図４、及び図６に示すように、円筒体から放射状に伸びる偶数個の歯が形成された歯車であるギア本体３０と、このギア本体３０を上下に貫通して回転自在とする回転軸３１など、から構成されている。
【００３８】
このギア３は、錠箱１０に形成された扉Ｄ１の幅方向（Ｙ方向）に沿って長い長孔１２（図１参照）を介して回転軸３１がナット等で摺動可能に錠箱１０に固定されている。また、回転軸３１は、図１〜図３に示すように、後述の弾性体５の弾性力で押圧されて扉Ｄ１の吊元でない側の端面から建具枠Ｆ１に向けてギア本体３０の一部が突出するように弾性支持されている。
【００３９】
このため、ドアノブＤｎを掴んで扉Ｄ１を開いたり閉じたりする際には、ギア本体３０と同じ高さに設置された前述の係止手段２の係止片２１に、ギア本体３０の歯が当接して、扉Ｄ１の開閉を阻止する構成となっている。
【００４０】
しかし、ギア３は、回転軸３１により錠箱１０に回転自在に軸支されているとともに、前述のように、係止片２１の突出高さは、ギア３の歯の突出高さ以下に設定されている。このため、後述のギアロック手段４でギア３の回転が阻止されていない限り、扉Ｄ１の端面から突出したギア本体３０の歯が建具枠Ｆ１又は係止片２１に当接しても、ギア本体３０が回転軸３１で回転し、弾性体で押圧されることで、密着し滑り込むように係止片２１を乗り越える。このため、扉Ｄ１自体の開閉は自在であり、係止片２１で設定された所定の位置に係止される。
【００４１】
（ギアロック手段）
次に、図１〜図４、及び図７を用いて、開き扉の回転式ラッチ機構１のギアロック手段４について説明する。図７は、開き扉の回転式ラッチ機構のギアのみを示す斜視図であり、扉Ｄ１の外側から前後方向（Ｘ方向）内側へ見た状態を示している。
【００４２】
本実施形態に係るギアロック手段４は、図１〜図４、及び図７に示すように、錠箱１０の前後一対の支持板１１に軸支された前後方向（Ｘ方向）に沿った軸４０と、この軸４０の内側端部に設けられた摘み４１と、軸４０に固着され、ギア３の歯を掛け止めるプレート片４２を備えている。また、ギアロック手段４は、軸４０に固着され、開閉可能か否かを表示する表示プレート４３と、軸４０の外側端部に設けられた外部解除キャップ４４など、も備えている。
【００４３】
摘み４１は、軸４０にボルト等で固着され、従来のサムターンと同様に、指で摘みやすいように半月状となっており、手動で軸４０を中心にプレート片４２を回転揺動するための部材である。
【００４４】
プレート片４２は、板面が軸４０に直交するように固着され、左右の両突端が円弧状に形成された一対の円弧状部４２ａを有する細長いプレートであり、この円弧状部４２ａが、ギア３の歯と歯の間に介在することでギア３の回転を阻止する機能を有している。この円弧状部４２ａは、軸４０に直交する断面が、先に行くに従って薄くなる台形状を呈している。つまり、摘み４１でプレート片４２を揺動してギア３の歯と歯の間に円弧状部４２ａを挿置することで、ギア３の回転を阻止し、扉Ｄ１の内側に入った使用者が内側から扉Ｄ１の開閉をロック可能にするものである。
【００４５】
また、表示プレート４３は、板面が軸４０に直交するように固着され、左右の両突端が円盤状に形成された一対のプレートである。この表示プレート４３は、錠箱１０に形成された円形の窓１３から表示プレート４３が視認できる状態か、又は視認できない状態かいずれかのときに、扉Ｄ１の開閉状態を表示する機能を有している。例えば、表示プレート４３は、突端の円盤状の部分の外側が赤色に着色されており、赤色が錠箱１０の窓１３を介して扉Ｄ１の外側から見えることで扉Ｄ１が閉鎖状態であること示す。
【００４６】
勿論、表示プレートを軸４０に対して図示形態から９０度回転した位置に取り付け、赤色でなく青色とし、扉Ｄ１が開放状態のときに、外部から視認できるようにしてもよい。また、色ではなく、円盤状の部分に「閉」又は「開」の文字を印字してもよい。要するに、表示プレートは、扉Ｄ１の外部から視認できる状態か、又は視認できない状態かいずれかにより、扉Ｄ１の開閉状態を表示するものであれば良い。
【００４７】
外部解除キャップ４４は、マイナスドライバーや硬貨等で回転可能とするための溝４４ａが形成されたキャップ部材であり、扉Ｄ１の外側に露出してギアロック手段４の軸４０を扉Ｄ１の外部から回転可能とするための部材である。つまり、外部解除キャップ４４は、軸４０の外側端部に嵌着されており、溝４４ａに扉Ｄ１の外部からマイナスドライバー等を差し込んで回すことで、ギアロック手段４のギア３の回転阻止を解除可能とするものである。
【００４８】
（弾性体）
次に、図１〜図４を用いて、開き扉の回転式ラッチ機構１の弾性体５について説明する。本実施形態に係る弾性体５は、図１〜図３に示すように、弦巻ばねであるステンレス製鋼線からなるコイルスプリング５０が採用されている。これらのコイルスプリング５０は、上下一対設けられ、それぞれその一端が錠箱１０に固着され、他端がギア３の回転軸３１の上部及び下部にそれぞれ当接して押圧することにより、ギア本体３０の一部を扉Ｄ１の端部から露出して弾性支持する機能を有している。
【００４９】
勿論、本発明に係る弾性体は、例示したコイルスプリング５０に限られず、板ばねやキックばねなどの他の金属ばねなどを採用することもできる。また、押圧ばねに限られず、引張ばねであっても構わない。さらに、金属ばねに限られず、圧縮されたゴム弾性体の反発力でギア３を押圧する構成であっても良いことは云うまでもない。
【００５０】
但し、弾性体５を一般的な図示コイルスプリング５０とすることにより、特殊な技術、加工技術機械等を必要とせず、製造コストを低減することができる。また、一般的で耐久性等の実績のある部品であるので、素材選定の幅が広く、耐用期間、交換時期等の目安も立てやすい。
【００５１】
［開き扉の回転式ラッチ機構の動作］
次に、図１〜図７を用いて、前述の開き扉の回転式ラッチ機構１の動作について説明する。
初めは、開き扉の回転式ラッチ機構１において、前述のギアロック手段４でギア３の回転が阻止されていない開放状態である。このため、使用者は、扉Ｄ１のドアノブＤｎを掴んで普通に扉Ｄ１を閉めることができる。
【００５２】
このとき、従来のラッチ錠のロック機構であれば、ラッチ連動式ドアノブの回転操作がラッチの突出又は後退と連動しており、この連動機構が破損した場合には、閉じ込められるおそれがあった。これに対して、開き扉の回転式ラッチ機構１によれば、ドアノブＤｎは、扉Ｄ１にねじ止め等で固着されているだけでラッチ機構とは独立しているので、ドアノブＤｎが破損したり外れたりした場合であっても、扉の押し引きで扉は開閉可能であるので、閉じ込められるおそれは全く無い。また、このドアノブＤｎを捻らなくても良い開閉動作は、高齢者、要介護、要介助者等に優しく、また災害等でドア歪みや破損が起きた時も、閉じ込めリスクは従来のラッチ錠の機構に比べ、非常に低くなる。
【００５３】
また、開き扉の回転式ラッチ機構１のロック状態では、図４（ａ）等に示すように、係止手段２の係止片２１とギア３の歯と歯の間の凹部が一直線上に並ぶこととなる。図示状態となるためには、図４（ｂ）に示すように、ギア３が矢印に沿って錠箱１０内に押し込まれて、係止片２１との間の隙間に滑り込ませる必要がある。
【００５４】
しかし、開き扉の回転式ラッチ機構１によれば、コイルスプリング５０の反発力を受けながら、ギア３が錠箱１０内に入り込むことで、扉Ｄ１の凸部であるギア本体３０の露出部分が係止手段２の係止片２１に密着しながらスムーズに回転して図４（ａ）の安定状態となる。このように回転式ラッチ機構１の動作が、ばねで弾性支持しながらの回転動作となるため、非常にスムーズな動作である。このため、ギア３やギアロック手段４の回動を電動モータ駆動とすることも容易であり、スマートキーやＩｏＴへの対応も容易である。
【００５５】
次に、使用者は、扉Ｄ１が閉まった状態で、扉Ｄ１の内側からギアロック手段４の摘み４１を手動で時計回り又はその反対方向に９０度回転させて、プレート片４２をギア３の歯と歯の間に介在させ、ギア３の回転不能にして扉Ｄ１の開閉をロックする。
【００５６】
このとき、摘み４１の回転に伴ってギアロック手段４の軸４０も回転し、表示プレート４３も揺動して錠箱１０に形成された窓１３から表示プレート４３が視認できる状態となり、扉Ｄ１の外部から扉Ｄ１がロックされている状態であることが確認できる。
【００５７】
そして、扉Ｄ１を開けて退出する場合は、使用者は、扉Ｄ１の内側から摘み４１を手動でロック時と反対方向に９０度回転させて、プレート片４２をギア３の歯と歯の間から移動させ、ギア３の回転可能にして扉Ｄ１のロックを解除する。
【００５８】
次に、使用者は、扉Ｄ１のドアノブＤｎを掴んで扉Ｄ１を開く。このときも、回転式ラッチ機構１の動作は、コイルスプリング５０によりギア３を係止片２１へ弾性的に圧接しながらの回転動作となるため、非常にスムーズな動作である。このため、経年劣化により回転式ラッチ機構１が破損するおそれも少ない上、コイルスプリング５０によるギア３の弾圧が破損した場合でも、ギア３が引っ込む方向に作用するため、閉じ込められるおそれが無い。
【００５９】
また、万が一、ギアロック手段４が破損した場合、ギア３をロックする事が出来ない。その上、何らかの理由でギアロック手段４が動作しない場合でも、扉Ｄ１の外部から外部解除キャップ４４の溝４４ａにマイナスドライバー等を差し込んで回すことで、ギアロック手段４のロックを解除することが可能である。このため、ギアロック手段４が破損しても扉Ｄ１内に閉じ込められるおそれが少ない。
【００６０】
以上説明した本発明の実施形態に係る開き扉の回転式ラッチ機構１によれば、非常に部品数も少なく、シンプル且つスムーズな機構であり、製造コストも安く量産が容易であるとともに、様々なカスタマイズが可能である。
【００６１】
その上、開き扉の回転式ラッチ機構１によれば、従来の開き扉のラッチ錠のように回動するドアノブとラッチの突没が連動する機能ではないので、ラッチ連動式ドアノブの回動が不能となった場合でも扉Ｄ１内に閉じ込められることがない。また、ギア３を弾性支持するコイルスプリング５０が経年劣化等で破断した場合でも扉Ｄ１を開くことでギア３の突出部分が引っ込むこととなり、従来の機構のように、ラッチがラッチ受け内に取り残されて扉のロックが解除できなくなるおそれがない。
【００６２】
その上、開き扉の回転式ラッチ機構１によれば、扉Ｄ１の内側に突設されている摘み４１により回転自在なプレート片４２をギア３の歯と歯の間に挿置するか否かでギア３の回転を阻止するものである。このため、ギアロック手段４の機構が簡略であり、経年劣化でも動作不能に陥るおそれが極めて少ない。
【００６３】
さらに、開き扉の回転式ラッチ機構１によれば、ギアロック手段４が扉Ｄ１の外側から解除可能に構成されているので、万が一、ギアロック手段４が内側から動作不能となった場合でも、外部からの救出が極めて容易である。
【００６４】
それに加え、開き扉の回転式ラッチ機構１によれば、係止手段２は、プレート本体２０の中央に突設された矩形状（長方形状）の係止片２１であるので、従来のラッチ受けのように建具枠に大きく掘り込み加工をしなくとも設置可能で、開き扉の建具の設置費用を低減することができる。また、建具枠Ｆ１に戸当りを必ずしも設ける必要がなく、その加工費用も削減することができる。
【００６５】
以上、本発明の実施形態に係る開き扉の回転式ラッチ機構１について詳細に説明した。しかし、前述した又は図示した実施形態は、いずれも本発明を実施するにあたって具体化した一実施形態を示したものに過ぎず、これらによって本発明の技術的範囲が限定的に解釈されてはならないものである。
【産業上の利用可能性】
【００６６】
本発明に係る開き扉の回転式ラッチ機構は、例えば、トイレ、バスルーム、又は各個室の扉など、部外者の侵入のおそれが少ない内壁に設置された建具の開き扉の回転式ラッチ機構に好適に適用されるものである。但し、玄関扉など外壁に設置された建具の開き扉の回転式ラッチ機構にも適用可能である。また、本発明は、高齢化、要介護・要介助者等へのバリアフリー化、一人暮らし、住宅の高気密化が進行する中、高いニーズがあるものと考えられる。その上、ギアやギアロック手段の回動を電動モータ駆動させて、スマートキー対応化や、ＩｏＴ対応化も非常に容易である。
【符号の説明】
【００６７】
１：ラッチ機構（開き扉の回転式ラッチ機構）
１０：錠箱
１１：支持板
１２：長孔
１３：窓
２：係止手段
２０：プレート本体
２１：係止片
３：ギア
３０：ギア本体
３１：回転軸
４：ギアロック手段
４０：軸
４１：摘み
４２：プレート片
４３：表示プレート
４４：外部解除キャップ
４４ａ：溝
５：弾性体
５０：コイルスプリング（弦巻きばね）
Ｄ１：扉
Ｄｎ：ドアノブ
Ｆ１：建具枠
Ｆ１０，Ｆ１１：縦枠
Ｆ１２：上枠
Ｆ１３：下枠
Ｔ：蝶番（丁番）
【図１】
2018178563.tif 000003
【図２】
2018178563.tif 000004
【図３】
2018178563.tif 000005
【図４】
2018178563.tif 000006
【図５】
2018178563.tif 000007
【図６】
2018178563.tif 000008
【図７】
2018178563.tif 000009
【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
建具枠に蝶番を介して取り付けられて開閉自在な扉の開閉をロックする開き扉のラッチ機構であって、
前記扉に取り付けられる錠箱と、この錠箱に上下方向を軸として回転自在に取り付けられたギアと、このギアの回転の阻止又はその解除が自在なギアロック手段とを備え、
前記ギアは、前記軸が弾性体の弾性力で押圧されて前記扉の端面から前記建具枠に向けてその一部が突出した状態で弾性支持されているとともに、
前記建具枠には、前記ギアと対応する位置に、前記ギアロック手段でロックされた状態で前記ギアの歯を係止して前記扉の開閉をロックする係止手段が取り付けられており、
前記ギアロック手段は、前記錠箱に前記扉の内側から外側に向かった際の前後方向を軸として軸支され、前記扉の内側に突設されている摘みにより回転自在なプレート片を前記ギアの歯の間に挿置するか否かで前記ギアの回転を阻止するものであること
を特徴とする開き扉の回転式ラッチ機構。
【請求項２】
前記ギアロック手段は、前記扉の外側から解除可能に構成されていること
を特徴とする請求項１に記載の開き扉の回転式ラッチ機構。
【請求項３】
前記弾性体は、前記錠箱に一端が固着されたコイルスプリングであること
を特徴とする請求項１又は２に記載の開き扉の回転式ラッチ機構。
【請求項４】
前記係止手段は、プレート面が上下方向に沿って取り付けられた矩形状の係止片であること
を特徴とする請求項１ないし３のいずれかに記載の開き扉の回転式ラッチ機構。
【手続補正２】
【補正対象書類名】明細書
【補正対象項目名】００１６
【補正方法】変更
【補正の内容】
【００１６】
第１発明に係る開き扉の回転式ラッチ機構は、建具枠に蝶番を介して取り付けられて開閉自在な扉の開閉をロックする開き扉のラッチ機構であって、前記扉に取り付けられる錠箱と、この錠箱に上下方向を軸として回転自在に取り付けられたギアと、このギアの回転の阻止又はその解除が自在なギアロック手段とを備え、前記ギアは、前記軸が弾性体の弾性力で押圧されて前記扉の端面から前記建具枠に向けてその一部が突出した状態で弾性支持されているとともに、前記建具枠には、前記ギアと対応する位置に、前記ギアロック手段でロックされた状態で前記ギアの歯を係止して前記扉の開閉をロックする係止手段が取り付けられており、前記ギアロック手段は、前記錠箱に前記扉の内側から外側に向かった際の前後方向を軸として軸支され、前記扉の内側に突設されている摘みにより回転自在なプレート片を前記ギアの歯の間に挿置するか否かで前記ギアの回転を阻止するものであることを特徴とする。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】変更
【補正の内容】
【００１８】
第２発明に係る開き扉の回転式ラッチ機構は、第１発明において、前記ギアロック手段は、前記扉の外側から解除可能に構成されていることを特徴とする。
【手続補正５】
【補正対象書類名】明細書
【補正対象項目名】００１９
【補正方法】変更
【補正の内容】
【００１９】
第３発明に係る開き扉の回転式ラッチ機構は、第１発明又は第２発明において、前記弾性体は、前記錠箱に一端が固着されたコイルスプリングであることを特徴とする。
【手続補正６】
【補正対象書類名】明細書
【補正対象項目名】００２０
【補正方法】変更
【補正の内容】
【００２０】
第４発明に係る開き扉の回転式ラッチ機構は、第１発明ないし第３発明のいずれかの発明において、前記係止手段は、プレート面が上下方向に沿って取り付けられた矩形状の係止片であることを特徴とする。
【手続補正７】
【補正対象書類名】明細書
【補正対象項目名】００２１
【補正方法】変更
【補正の内容】
【００２１】
第１発明〜第４発明によれば、従来の開き扉のラッチ錠のように回動するドアノブとラッチの突没が連動する機能ではないので、従来の機構の様にラッチ連動式ドアノブの回動が不能となり扉内に閉じ込められることがない。また、第１発明〜第５発明によれば、ギアを弾性支持する弾性体が経年劣化や、地震等の災害による抗力など、何らかの理由により破断した場合、ギアの突出部分がカギ箱内に引っ込むこととなりロックは解除される。したがって、従来の「ラッチ錠」の様に、ラッチがラッチ受け内に取り残されて扉のロックが解除できなくなる恐れはなく、扉を開くことが出来る。
【手続補正８】
【補正対象書類名】明細書
【補正対象項目名】００２２
【補正方法】変更
【補正の内容】
【００２２】
また、第１発明〜第４発明によれば、扉の内側に突設されている摘みにより回転自在なプレート片を前記ギアの歯の間に挿置するか否かで前記ギアの回転を阻止するものであるので、ギアロック手段の機構が簡略であり、経年劣化等でも動作不能に陥るおそれが極めて少ない。また、矩形状のプレート片自体が破損・破断した場合も、ギアロックを出来なくなるので、ロックは解除される。
【手続補正９】
【補正対象書類名】明細書
【補正対象項目名】００２３
【補正方法】変更
【補正の内容】
【００２３】
特に、第２発明によれば、ギアロック手段が扉の外側から解除可能に構成されているので、万が一、ギアロック手段が内側から動作不能となった場合でも、外部からの救出が極めて容易である。
【手続補正１０】
【補正対象書類名】明細書
【補正対象項目名】００２４
【補正方法】変更
【補正の内容】
【００２４】
特に、第３発明によれば、弾性体は、錠箱に一端が固着されたコイルスプリングであるので、特殊な加工技術機械等を必要とせず、且つ、部品数が少なく、簡単な構造であるので、製造コストを低減することができる。また、一般的で耐久性等の実績のある部品であるので、素材選定の幅が広く、耐用期間、交換時期等の目安も立てやすい。
【手続補正１１】
【補正対象書類名】明細書
【補正対象項目名】００２５
【補正方法】変更
【補正の内容】
【００２５】
特に、第４発明によれば、係止手段は、プレート面が上下方向に沿って取り付けられた矩形状の係止片であるので、従来のラッチ受けのように建具枠に大きな掘り込み加工が必要なく、開き扉の建具の設置費用を低減することができる。また、加工が困難な場所への設置も比較的容易となる。